(57)【要約】【課題】  違法駐車の抑止に好適な技術の提供を目的とする。【解決手段】  サーバー装置であって、駐車禁止区域に駐車された車両の駐車位置に関する情報である駐車位置情報を取得する車両情報取得部と、前記駐車位置情報を用いて、駐車された前記車両の台数を所定の区域毎に累計した統計情報を生成する統計情報生成部と、前記統計情報を記憶する記憶部と、前記統計情報に基づいて、前記区域毎に前記台数を表示するための表示情報を生成する表示情報生成部と、前記表示情報を出力する通信制御部と、を備えることを特徴とする。【選択図】  図１
2015106399.tif 000002
【特許請求の範囲】
【請求項１】
駐車禁止区域に駐車された車両の駐車位置に関する情報である駐車位置情報を取得する車両情報取得部と、
前記駐車位置情報を用いて、駐車された前記車両の台数を所定の区域毎に累計した統計情報を生成する統計情報生成部と、
前記統計情報を記憶する記憶部と、
前記統計情報に基づいて、前記区域毎に前記台数を表示するための表示情報を生成する表示情報生成部と、
前記表示情報を出力する通信制御部と、
を備えることを特徴とするサーバー装置。
【請求項２】
請求項１に記載のサーバー装置であって、
前記記憶部は、前記車両の登録ナンバーに対し前記車両の管理者の連絡先を関連付けた車両情報をさらに記憶し、
前記車両情報取得部は、前記駐車位置情報と関連付けて前記登録ナンバーをさらに取得し、
前記通信制御部は、前記車両情報取得部が前記登録ナンバーを取得すると、前記記憶部を参照して該登録ナンバーに関連付けられた前記連絡先に通知を行うことを特徴とするサーバー装置。
【請求項３】
請求項２に記載のサーバー装置であって、
前記車両情報取得部が前記駐車位置情報を取得すると、前記記憶部に記憶された駐車場情報を参照し、該駐車位置情報に係る駐車位置近傍の駐車場のうち空きのある前記駐車場を特定する駐車場特定部を備え、
前記記憶部は、空きのある駐車場に関する前記駐車場情報をさらに記憶し、
前記通信制御部は、前記空き駐車場特定部により特定された前記駐車場に関する情報をさらに通知することを特徴とするサーバー装置。
【請求項４】
請求項２又は３に記載のサーバー装置であって、
前記記憶部は、前記登録ナンバーに対し前記車両の種別を関連付けた車両情報をさらに記憶し、
前記統計情報生成部は、前記車両情報取得部が取得した前記登録ナンバーを用いて前記記憶部を参照し、前記区域と前記種別との組み合わせ毎に前記台数を累計した前記統計情報を生成することを特徴とするサーバー装置。
【請求項５】
請求項２から４のいずれか一項に記載のサーバー装置であって、
前記通信制御部は、前記車両情報取得部が取得した前記駐車位置情報と対応する前記区域に関する前記統計情報をさらに通知することを特徴とするサーバー装置。
【請求項６】
請求項２から５のいずれか一項に記載のサーバー装置であって、
前記記憶部は、前記登録ナンバーに前記車両の累計違反回数をさらに関連付けた前記車両情報を記憶し、
前記通信制御部は、前記車両情報において前記登録ナンバーと関連付けられた前記累計違反回数をさらに通知することを特徴とするサーバー装置。
【請求項７】
請求項１から６のいずれか一項に記載のサーバー装置であって、
前記表示情報生成部は、前記区域を示す領域を前記台数に応じて異ならせた地図情報を含む前記表示情報を生成することを特徴とするサーバー装置。
【請求項８】
請求項１から７のいずれか一項に記載のサーバー装置であって、
前記統計情報生成部は、所定の時間帯毎に前記所定の区域における前記台数を累計した前記統計情報を生成し、
前記表示情報生成部は、前記統計情報を用いて、前記所定の区域における前記台数の推移を表示する推移情報を含む表示情報を生成することを特徴とするサーバー装置。
【請求項９】
第一の端末装置と、第二の端末装置と、サーバー装置とがネットワークを介して接続された駐車違反情報公開システムであって、
前記第一の端末装置は、
駐車禁止区域に駐車された車両の駐車位置に関する情報である駐車位置情報を前記サーバー装置に対して送信する車両情報送信部を備え、
前記サーバー装置は、
前記駐車位置情報を前記第一の端末装置から取得する車両情報取得部と、
前記駐車位置情報を用いて、駐車された前記車両の台数を所定の区域毎に累計した統計情報を生成する統計情報生成部と、
前記統計情報を記憶する記憶部と、
前記統計情報に基づいて、前記区域毎に前記台数を表示するための表示情報を生成する表示情報生成部と、
前記表示情報を前記第二の端末装置に対して出力する通信制御部と、を備え、
前記第二の端末装置は、
前記サーバー装置の前記通信制御部により出力された前記表示情報を表示装置に対して表示させる表示部を備えることを特徴とする駐車違反情報公開システム。
【請求項１０】
サーバー装置を用いた違反情報公開方法であって、
駐車禁止区域に駐車された車両の駐車位置に関する情報である駐車位置情報を取得する車両情報取得手順と、
前記駐車位置情報を用いて、駐車された前記車両の台数を所定の区域毎に累計した統計情報を生成する統計情報生成手順と、
前記統計情報生成手順において生成された前記統計情報に基づいて、前記区域毎に前記台数を表示するための表示情報を生成する表示情報生成手順と、
前記表示情報を出力する通信制御手順と、
を備えることを特徴とする駐車違反情報公開方法。
【請求項１１】
コンピューターをサーバー装置として機能させるプログラムであって、
駐車禁止区域に駐車された車両の駐車位置に関する情報である駐車位置情報を取得する車両情報取得手順と、
前記駐車位置情報を用いて、駐車された前記車両の台数を所定の区域毎に累計した統計情報を生成する統計情報生成手順と、
前記統計情報生成手順において生成された前記統計情報に基づいて、前記区域毎に前記台数を表示するための表示情報を生成する表示情報生成手順と、
前記表示情報を出力する通信制御手順と、
をコンピューターに実行させることを特徴とするプログラム。
【発明の詳細な説明】
【技術分野】
【０００１】
本発明は、サーバー装置、駐車違反情報公開システム、駐車違反情報公開方法、及びプログラムに関する。
【背景技術】
【０００２】
警察官や監視員が情報処理装置を使用し、簡易に駐車違反の車両を取り締まる技術が知られている。
【０００３】
特許文献１には、「警察官または駐車監視員が使用する処理端末、車載装置、放置駐車違反管理サーバおよび情報公開サーバで構成する放置駐車違反管理システムであって、前記車載装置に車台番号及び自動車登録番号及び車両の使用者情報を備え、前記処理端末に、前記車載装置と通信を行い車台番号及び自動車登録番号及び車両の使用者情報を取得する機能と、前記車載装置との通信を行い前記処理端末内に記録された放置駐車違反情報を送信する機能と、前記放置駐車違反管理サーバに、前記処理端末内に記録された放置駐車違反情報を登録する機能とを有する」ことを特徴とする放置駐車違反管理システムが開示されている。
【先行技術文献】
【特許文献】
【０００４】
【特許文献１】特開２０１０−１３４５７０号公報
【発明の概要】
【発明が解決しようとする課題】
【０００５】
路上に違法に駐車を行うことは、交通渋滞や交通事故の原因となるため、予めこれを防ぐことが肝要である。近年、違法駐車の取り締まりには上述の情報処理装置が用いられるが、未然に違法駐車を防ぐ技術が望まれる。これについて、運転手の違法駐車抑止の意識を高めることができれば、違法駐車の予防に資する。
【０００６】
特許文献１に開示された技術は、違法駐車を予防することを考慮しないため、違法駐車の抑止手段として好適でない。
【０００７】
本発明は、上記の点に鑑みてなされたものであって、違法駐車の抑止に好適な技術の提供を目的とする。
【課題を解決するための手段】
【０００８】
本願は、上記課題を解決する手段を複数含んでいるが、その例を挙げるならば、以下の通りである。
【０００９】
上記課題を解決するため、本発明のサーバー装置は、駐車禁止区域に駐車された車両の駐車位置に関する情報である駐車位置情報を取得する車両情報取得部と、前記駐車位置情報を用いて、駐車された前記車両の台数を所定の区域毎に累計した統計情報を生成する統計情報生成部と、前記統計情報を記憶する記憶部と、前記統計情報に基づいて、前記区域毎に前記台数を表示するための表示情報を生成する表示情報生成部と、前記表示情報を出力する通信制御部と、を備えることを特徴とする。
【００１０】
また、上記課題を解決するため、前記記憶部は、前記車両の登録ナンバーに対し前記車両の管理者の連絡先を関連付けた車両情報をさらに記憶し、前記車両情報取得部は、前記駐車位置情報と関連付けて前記登録ナンバーをさらに取得し、前記通信制御部は、前記車両情報取得部が前記登録ナンバーを取得すると、前記記憶部を参照して該登録ナンバーに関連付けられた前記連絡先に通知を行うことを特徴としてもよい。
【００１１】
また、上記課題を解決するため、本発明のサーバー装置は、前記車両情報取得部が前記駐車位置情報を取得すると、前記記憶部に記憶された駐車場情報を参照し、該駐車位置情報に係る駐車位置近傍の駐車場のうち空きのある前記駐車場を特定する駐車場特定部を備え、前記記憶部は、空きのある駐車場に関する前記駐車場情報をさらに記憶し、前記通信制御部は、前記空き駐車場特定部により特定された前記駐車場に関する情報をさらに通知することを特徴としてもよい。
【００１２】
また、上記課題を解決するため、前記記憶部は、前記登録ナンバーに対し前記車両の種別を関連付けた車両情報をさらに記憶し、前記統計情報生成部は、前記車両情報取得部が取得した前記登録ナンバーを用いて前記記憶部を参照し、前記区域と前記種別との組み合わせ毎に前記台数を累計した前記統計情報を生成することを特徴としてもよい。
【００１３】
また、上記課題を解決するため、前記通信制御部は、前記車両情報取得部が取得した前記駐車位置情報と対応する前記区域に関する前記統計情報をさらに通知することを特徴としてもよい。
【００１４】
また、上記課題を解決するため、前記記憶部は、前記登録ナンバーに前記車両の累計違反回数をさらに関連付けた前記車両情報を記憶し、前記通信制御部は、前記車両情報において前記登録ナンバーと関連付けられた前記累計違反回数をさらに通知することを特徴としてもよい。
【００１５】
また、上記課題を解決するため、前記表示情報生成部は、前記区域を示す領域を前記台数に応じて異ならせた地図情報を含む前記表示情報を生成することを特徴としてもよい。
【００１６】
また、上記課題を解決するため、前記統計情報生成部は、所定の時間帯毎に前記所定の区域における前記台数を累計した前記統計情報を生成し、前記表示情報生成部は、前記統計情報を用いて、前記所定の区域における前記台数の推移を表示する推移情報を含む表示情報を生成することを特徴としてもよい。
【００１７】
また、上記課題を解決するため、本発明の駐車違反情報公開システムは、第一の端末装置と、第二の端末装置と、サーバー装置とがネットワークを介して接続された駐車違反情報公開システムであって、前記第一の端末装置は、駐車禁止区域に駐車された車両の駐車位置に関する情報である駐車位置情報を前記サーバー装置に対して送信する車両情報送信部を備え、前記サーバー装置は、前記駐車位置情報を前記第一の端末装置から取得する車両情報取得部と、前記駐車位置情報を用いて、駐車された前記車両の台数を所定の区域毎に累計した統計情報を生成する統計情報生成部と、前記統計情報を記憶する記憶部と、前記統計情報に基づいて、前記区域毎に前記台数を表示するための表示情報を生成する表示情報生成部と、前記表示情報を前記第二の端末装置に対して出力する通信制御部と、を備え、前記第二の端末装置は、前記サーバー装置の前記通信制御部により出力された前記表示情報を表示装置に対して表示させる表示部を備えることを特徴とする。
【００１８】
また、上記課題を解決するため、本発明の駐車違反情報公開方法は、サーバー装置を用いた違反情報公開方法であって、駐車禁止区域に駐車された車両の駐車位置に関する情報である駐車位置情報を取得する車両情報取得手順と、前記駐車位置情報を用いて、駐車された前記車両の台数を所定の区域毎に累計した統計情報を生成する統計情報生成手順と、前記統計情報生成手順において生成された前記統計情報に基づいて、前記区域毎に前記台数を表示するための表示情報を生成する表示情報生成手順と、前記表示情報を出力する通信制御手順と、を備えることを特徴とする。
【００１９】
また、上記課題を解決するため、本発明のプログラムは、コンピューターをサーバー装置として機能させるプログラムであって、駐車禁止区域に駐車された車両の駐車位置に関する情報である駐車位置情報を取得する車両情報取得手順と、前記駐車位置情報を用いて、駐車された前記車両の台数を所定の区域毎に累計した統計情報を生成する統計情報生成手順と、前記統計情報生成手順において生成された前記統計情報に基づいて、前記区域毎に前記台数を表示するための表示情報を生成する表示情報生成手順と、前記表示情報を出力する通信制御手順と、をコンピューターに実行させることを特徴とする。
【発明の効果】
【００２０】
本発明によれば、違法駐車の抑止に好適な技術を提供することができる。
【００２１】
上記した以外の課題、構成、及び効果は、以下の実施形態の説明により明らかにされる。
【図面の簡単な説明】
【００２２】
【図１】駐車違反情報公開システムの概要を示す図である。
【図２】駐車違反情報公開システムにおける機能ブロック図である。
【図３】車両情報の一例を示す図である。
【図４】取締外車両情報の一例を示す図である。
【図５】違反車両情報の一例を示す図である。
【図６】統計情報の一例を示す図である。
【図７】駐車場情報の一例を示す図である。
【図８】サーバー装置の機能を実現するコンピューターのハードウェア構成例を示す図である。
【図９】取締端末装置の機能を実現するコンピューターのハードウェア構成例を示す図である。
【図１０】ユーザー端末装置に対して通知が行われるまでの処理の流れを示すシーケンス図である。
【図１１】サーバー装置における通知処理の流れを示すフローチャートである。
【図１２】統計情報の公開の流れを示すシーケンス図である。
【図１３】統計情報選択画面の一例を示す図である。
【図１４】統計地図表示画面の一例を示す図である。
【図１５】区域別累計表示画面の一例を示す図である。
【図１６】台数推移表示画面の一例を示す図である。
【発明を実施するための形態】
【００２３】
以下、図面に基づいて本発明の実施形態の例を説明する。
【００２４】
図１は、駐車違反情報公開システム１の概要を示す図である。駐車違反情報公開システム１は、サーバー装置１０と、取締端末装置２０と、ユーザー端末装置３０とがネットワーク４０を介して接続されている。なお、図１では便宜上、サーバー装置１０と、取締端末装置２０と、ユーザー端末装置３０とを１つずつ記載しているが、各々の数はこれに限定されるものではない。
【００２５】
取締端末装置２０は、警察官や駐車監視員等、駐車違反を取り締まる権限を有する者（以下、「監視員」として説明する）により操作される端末装置である。
【００２６】
監視員は、違法駐車を発見すると、取締端末装置２０を用いて違反車両のナンバープレートを撮影する。撮影された画像は、取締端末装置２０の位置情報と併せてサーバー装置１０に送信される。以下、駐車禁止の場所に駐車された車両を、単に「違反車両」として説明する。
【００２７】
サーバー装置１０は、本システムの管理者により操作される情報処理装置であって、各取締端末装置２０から受信する画像を分析し、違反車両に関する情報を管理している。サーバー装置１０は、区域ごとの違反車両の台数を累計した統計情報を生成する。統計情報を用いて生成される統計情報表示画面は、各ユーザー端末装置３０に対して公開される。
【００２８】
ユーザー端末装置３０は、駐車違反情報公開システム１により公開される情報を利用するユーザーにより操作される端末装置である。ユーザーは、ユーザー端末装置３０を介してサーバー装置１０に公開情報を要求する。ユーザー端末装置３０は、サーバー装置１０から公開情報を取得し、ディスプレイ等の表示装置に対して表示する。
【００２９】
また、ユーザー端末装置３０のユーザーは、違反車両の管理者であってもよい。管理者は、例えば車両の運転手である。サーバー装置１０は、取締端末装置２０から画像を受信すると、車両ＮＯを特定し、車両ＮＯと関連付けられたユーザー端末装置３０の連絡先に対して通知を行う。ユーザーは、ユーザー端末装置３０が受信した通知を閲覧することで、自分の車が取締対象となったことを認識するとともに、違反回数や近隣の駐車場に関する情報を取得する。
【００３０】
図２は、駐車違反情報公開システム１における機能ブロック図である。駐車違反情報公開システム１は、前述したように、サーバー装置１０と、取締端末装置２０と、ユーザー端末装置３０とを備える。
【００３１】
サーバー装置１０は、例えばコンピューター等の情報処理装置である。取締端末装置２０、及びユーザー端末装置３０は、ＰＣや、ＰＤＡ（Personal Digital Assistant）、又はスマートフォン等の端末装置である。
【００３２】
サーバー装置１０は、制御部１１０と、記憶部１２０とを備える。
【００３３】
制御部１１０は、サーバー装置において駐車違反情報の公開に必要な処理を制御する。制御部１１０は、車両情報取得部１１１と、統計情報生成部１１２と、表示情報生成部１１３と、通信制御部１１４と、駐車場特定部１１５とを備える。
【００３４】
車両情報取得部１１１は、違反車両に関する画像と、取締端末装置２０の位置情報と、撮影時刻とを取締端末装置２０から取得する。車両情報取得部１１１は、受信した画像を分析し、違反車両の車両ＮＯを特定する。車両ＮＯとは、車両を特定するための識別情報であって、例えばナンバープレートに記載された番号である。車両情報取得部１１１は、画像に映っているナンバープレートから公知の技術を用いて車両ＮＯを特定する。なお、取締端末装置２０は、後述する入力装置を用いて車両ＮＯの入力を受け付け、入力された車両ＮＯをサーバー装置１０に対して送信してもよい。車両情報取得部１１１は、画像の代わりに、取締端末装置２０から送信された車両ＮＯを取得する。
【００３５】
統計情報生成部１１２は、取締端末装置２０から受信した情報を用いて、違法駐車に関する統計情報を生成する。統計情報については、後に詳述する。
【００３６】
表示情報生成部１１３は、ユーザー端末装置３０が備える表示装置に対し統計情報を示す画面を表示させるための表示情報を生成する。
【００３７】
通信制御部１１４は、各取締端末装置２０又は各ユーザー端末装置３０とのデータの送受信を制御する。例えば、通信制御部１１４は、取締端末装置２０から画像や位置情報等の情報を受信する。また、通信制御部１１４は、ユーザー端末装置３０に対して表示情報を送信する。また、通信制御部１１４は、ユーザー端末装置３０に対して累計違反回数や空き駐車場に関する情報、及び違反車両に関連する関連統計情報を含む通知を行うが、詳しくは後述する。
【００３８】
駐車場特定部１１５は、取締端末装置２０から受信した位置情報により特定される違法駐車の駐車位置近傍の駐車場であって、駐車可能な空きスペースのある駐車場を特定する。駐車場特定部１１５は、後述する駐車場情報を参照して駐車場を特定する。
【００３９】
記憶部１２０は、車両情報１２１と、取締外車両情報１２２と、違反車両情報１２３と、統計情報１２４と、駐車場情報１２５とを備える。
【００４０】
車両情報１２１は、車両の種別等の車両に関する情報、及び該車両の管理者に関する情報である。取締外車両情報１２２は、事前の申請により駐車禁止区域での駐車が許可された車両に関する情報である。なお、駐車許可は、申請に基づき、日時と場所とを特定して行われるものであり、許可された範囲で駐車する場合は違法駐車の対象とならない。
【００４１】
違反車両情報１２３は、違反車両に関する情報である。統計情報１２４は、違反車両情報１２３に基づいて生成される、駐車違反の統計に関する情報である。駐車場情報１２５は、駐車場の位置や、空きスペースの個数等の、駐車場に関する情報である。制御部１１０は、図示しない端末装置から定期的に空きスペースに関する情報を取得しており、この情報に基づいて駐車場情報１２５が生成される。
【００４２】
取締端末装置２０は、制御部２１０を備える。制御部２１０は、取締端末装置２０において違反車両に関する情報の取得等に関する処理を制御する。制御部２１０は、車両情報送信部２１１と、位置情報取得部２１２とを備える。
【００４３】
車両情報送信部２１１は、後述するカメラユニットを用いて撮影した画像と、取締端末装置２０の位置情報と、図示しない時計により取得した撮影時刻とをサーバー装置１０に対して送信する。位置情報取得部２１２は、ＧＰＳ（Global Positioning System）機能を有するＧＰＳ受信装置を用いて取締端末装置２０の現在位置を認識する。なお、現在位置を認識する技術は、位置情報を認識できればよく、ＧＰＳに限定されない。
【００４４】
ユーザー端末装置３０は、制御部３１０を備える。制御部３１０は、ユーザー端末装置３０においてサーバー装置１０から送信される統計情報や通知の表示に必要な処理を制御する。制御部３１０は、表示制御部３１１を備える。
【００４５】
表示制御部３１１は、サーバー装置１０から受信した表示情報を、後述するディスプレイに対して表示させる。
【００４６】
本実施形態では、取締端末装置２０によって撮影された違反車両に関する情報をサーバー装置１０が管理し、統計情報を生成して公開する。ユーザー端末装置３０を介してユーザーに統計情報を公開することにより、ユーザーに対して注意喚起を行う。
【００４７】
次に、記憶部１２０に格納される各情報について説明する。
【００４８】
図３は、車両情報１２１の一例を示す図である。車両情報１２１には、車両ＮＯ１２１ｂ毎に、管理ＩＤ（Identify）１２１ａと、車両種別１２１ｃと、通知種別１２１ｄと、第１連絡先１２１ｅと、第２連絡先１２１ｆと、累計違反回数１２１ｇとが関連付けられている。車両情報１２１は、例えばディーラーが車を販売した時に入力される情報に基づいて生成される。
【００４９】
管理ＩＤ１２１ａは、各車両情報１２１を識別するための識別情報である。車両ＮＯ１２１ｂは、車両を識別するための識別情報である。
【００５０】
車両種別１２１ｃは、車両が属する種別を特定する情報である。車両種別は、例えば「個人」、「会社所有」、「レンタカー」等、車両の管理形態を特定する種別である。図３に示す車両種別１２１ｃは、「１」が「個人所有」、「２」が「会社所有」、「３」が「レンタカー」であることを示す。なお、車両種別１２１ｃは、例えば「軽自動車」、「普通車」、「中型車」、「大型車」等の車種区分を示す情報であってもよい。
【００５１】
通知種別１２１ｄは、車両について駐車違反の取り締まりがなされた際に、通知を行う先を特定するための種別を示す情報である。例えば通知種別１２１ｄが「１」の場合は、第１連絡先１２１ｅに通知を行い、通知種別１２１ｄが「２」の場合は、第１連絡先１２１ｅ及び第２連絡先１２１ｆに通知を行う。これは、例えば会社所有の車両について、使用者及び運行管理者双方に通知を希望する場合に役立つ。
【００５２】
第１連絡先１２１ｅ、及び第２連絡先１２１ｆは、通知先を特定する情報である。第１連絡先１２１ｅ、及び第２連絡先１２１ｆは、例えばユーザー端末装置３０のメールアドレスである。なお、通知先を特定する情報は、３以上であってもよく、通知種別１２１ｄと各連絡先との関係は、ここで説明する形態に限定されるものではない。累計違反回数１２１ｇは、関連する車両ＮＯ１２１ｂにより特定される車両について、駐車違反が発見された累計回数を特定する情報である。
【００５３】
例えば、図３の情報１２１ｙは、管理ＮＯ１２１ａが「0000001112」で管理される車両ＮＯ１２１ｂ「＊＊＊＊１」の車両は、車両種別１２１ｃが「１」、つまり「個人所有」であって、累計違反回数１２１ｇが「１」であり、仮に駐車違反が発見された場合に、通知種別１２１ｄが「１」、つまり第１連絡先１２１ｅ「＊＊＊＊＊＊」に通知が行われることを示す。また、情報１２１ｚは、管理ＮＯ１２１ａが「0000001113」で管理される車両ＮＯ１２１ｂ「＊＊＊＊２」の車両は、車両種別１２１ｃが「３」、つまり「レンタカー」であって、累計違反回数１２１ｇが「０」であり、駐車違反が発見された場合に、通知種別１２１ｄが「２」、つまり第１連絡先１２１ｅ「＊＊＊＊＊＊」及び第２連絡先１２１ｆ「＊＊＊＊＊＊」に通知が行われることを示す。
【００５４】
図４は、取締外車両情報１２２の一例を示す図である。取締外車両情報１２２には、駐車禁止区域への駐車許可を管理する管理ＩＤ１２２ａ毎に、車両ＮＯ１２２ｂと、駐車予定位置１２２ｃと、駐車開始日時１２２ｄと、駐車終了日時１２２ｅとが関連付けられている。
【００５５】
管理ＩＤ１２２ａは、駐車許可を管理する識別情報である。車両ＮＯ１２２ｂは、車両を特定する識別情報であって、車両情報１２１の車両ＮＯ１２１ｂと対応する。駐車予定位置１２２ｃは、許可された駐車予定の位置を特定する情報である。駐車予定位置１２２ｃは、例えば緯度及び経度を特定する情報である。
【００５６】
駐車開始日時１２２ｄは、許可の開始日時を特定する情報である。駐車終了日時１２２ｅは、許可の終了日時を特定する情報である。
【００５７】
図５は、違反車両情報１２３の一例を示す図である。違反車両情報１２３は、取締端末装置２０によって発見された駐車違反を管理する管理ＩＤ１２３ａ毎に、車両ＮＯ１２３ｂと、車両種別１２３ｃと、違反日時１２３ｄと、車両位置１２３ｅと、公開フラグ１２３ｆとが関連付けられている。
【００５８】
管理ＩＤ１２３ａは、駐車違反を管理する識別情報である。車両ＮＯ１２３ｂは、車両を特定する識別情報であって、車両情報１２１の車両ＮＯ１２１ｂと対応する。車両種別１２３ｃは、車両が属する種別を特定する情報であって、車両情報１２１の車両種別１２１ｃと対応する。違反日時１２３ｄは、駐車違反が発見された日時を特定する情報であって、例えば取締端末装置２０によって違反車両が撮影された日時を特定する情報である。
【００５９】
車両位置１２３ｅは、違反車両の駐車位置を特定する情報である。車両位置１２３ｅは、例えば緯度及び経度を示す情報である。車両位置１２３ｅは、例えば車両ＮＯ１２３ｂにより特定される車両を撮影した取締端末装置２０の位置を特定する情報である。
【００６０】
公開フラグ１２３ｆは、該公開フラグ１２３ｆを備える違反車両情報１２３が、統計情報１２４に加算されたか否かを示すフラグである。例えば、公開フラグ１２３ｆが「０」の場合は、また該公開フラグ１２３ｆを含む違反車両情報１２３が統計情報１２４に加算されていない状態を示し、「１」の場合は違反車両情報１２３が統計情報１２４に加算された状態であることを示す。
【００６１】
図６は、統計情報１２４の一例を示す図である。統計情報１２４には、区域１２４ａと、時間帯１２４ｃと、車両種別１２４ｄとの組み合わせに対し、台数１２４ｅが関連付けられている。また、区域１２４ａには、区域名１２４ｂと、地域１２４ｆとが関連付けられている。
【００６２】
区域１２４ａは、駐車違反情報公開システム１により管理を行う区域を特定する情報である。区域１２４ａは、例えば緯度及び経度を特定する情報と、特定される緯度及び経度を中心とした半径を特定する情報であって、これらにより範囲が特定される。区域名１２４ｂは、区域１２４ａにより特定される区域の名称を示す情報である。
【００６３】
時間帯１２４ｃは、違反台数を計上する基準となる時間帯を特定する情報である。時間帯１２４ｃは、例えば基準となる時間の開始時刻である。車両種別１２４ｄは、車両が属する種別を特定する情報であって、車両情報１２１の車両種別１２１ｃと対応する。
【００６４】
台数１２４ｅは、関連する区域１２４ａ内に、時間帯１２４ｃにより特定される時間帯に駐車していた車両であって、車両種別１２４ｄに属する車両の台数を特定する情報である。地域１２４ｆは、区域１２４ａが存在する地域を特定する情報である。地域１２４ｆは、例えば「011」は「新宿区」、「012」は「品川区」である。
【００６５】
例えば、図６では、区域名１２４ｂが「＊＊駅周辺」である区域に、時間帯１２４ｃ「13:00」（を開始時刻とし、次の時間帯１２４ｃ「14:00」に至るまでを終了時刻とする時間帯）に駐車していた車両であって、車両種別１２４ｄが「１」つまり「個人所有」である車両は、台数１２４ｅ「２」台であることを示す。また、同区域に同時間帯に駐車していた車両のうち、車両種別１２４ｄが「２」つまり「会社所有」である車両の台数１２４ｅは「３」台であり、車両種別１２４ｄが「３」つまり「レンタカー」である車両の台数１２４ｅは「０」台であることを示す。なお、区域名１２４ｂ「＊＊駅周辺」、「国道＊号（＊＊区間）」は、共に地域１２４ｆが「011」、つまり「新宿区」に存在する。
【００６６】
図７は、駐車場情報１２５の一例を示す図である。駐車場情報１２５には、駐車場ＩＤ１２５ａ毎に、位置１２５ｂと、駐車場名１２５ｃと、空き情報１２５ｄとが関連付けられている。
【００６７】
駐車場ＩＤ１２５ａは、駐車場を特定する識別情報である。位置１２５ｂは、関連する駐車場ＩＤ１２５ａにより特定される駐車場の位置を特定する情報である。位置１２５ｂは、例えば駐車場の緯度及び経度を特定する情報である。
【００６８】
駐車場名１２５ｃは、駐車場の名称である。空き情報１２５ｄは、駐車場の空きスペースの数を特定する情報である。例えば、空き情報１２５ｄが「２」である場合、車両２台分のスペースが空いていることを示す。
【００６９】
次に、サーバー装置１０のハードウェア構成例について説明する。
【００７０】
図８は、サーバー装置１０の機能を実現するコンピューターのハードウェア構成例を示す図である。サーバー装置１０は、ＣＰＵ（Central Processing Unit）１３０、入力装置１３１、ネットワークＩ／Ｆ（Interface）１３２、メモリ１３３、補助記憶装置１３４、及びディスプレイ１３５を備え、各構成要素はバスにより接続されている。
【００７１】
ＣＰＵ１３０は、メモリ１３３又は補助記憶装置１３４に記録されたプログラムに従って処理を実行する。制御部１１０を構成する各部は、ＣＰＵ１３０がプログラムを実行することにより各々の機能が実現される。入力装置１３１は、システム管理者からの入力操作を受け付けるためのインターフェイスであり、例えばタッチパネル、キーボード、マウス、マイク等である。ネットワークＩ／Ｆ１３２は、サーバー装置１０をネットワーク４０に接続するためのインターフェイスである。
【００７２】
メモリ１３３は、ＲＡＭ（Random Access Memory）又はフラッシュメモリ等の記憶装置であり、プログラムやデータが一時的に読み出される記憶エリアとして機能する。補助記憶装置１３４は、例えばＨＤＤ（Hard Disk Drive）や、ＣＤ-Ｒ（Compact Disc- Recordable）、ＤＶＤ-ＲＡＭ（Digital Versatile Disk-Random Access Memory）等の書き込み及び読み出し可能な記憶メディア及び記憶メディア駆動装置等である。ディスプレイ１３５は、ＬＣＤ（Liquid Crystal Display）ディスプレイ等の表示装置である。
【００７３】
記憶部１２０は、メモリ１３３又は補助記憶装置１３４によりその機能が実現される。また、記憶部１２０は、ネットワーク４０上の記憶装置（図示しない）によってその機能が実現されてもよい。
【００７４】
なお、サーバー装置１０の各構成要素の処理は、１つのハードウェアで実行されてもよいし、複数のハードウェアで実行されてもよい。また、サーバー装置１０の各構成要素の処理は、１つのプログラムで実現されてもよいし、複数のプログラムで実現されてもよい。また、統計情報の生成又は公開は、別のサーバー装置で行われてもよい。
【００７５】
ユーザー端末装置３０は、サーバー装置１０と同様のハードウェア構成を備える。そのため、ユーザー端末装置３０のハードウェア構成については、説明を省略する。
【００７６】
図９は、取締端末装置２０の機能を実現するコンピューターのハードウェア構成例を示す図である。取締端末装置２０は、ＣＰＵ２２０、入力装置２２１、ネットワークＩ／Ｆ２２２、カメラユニット２２３、メモリ２２４、補助記憶装置２２５、ＧＰＳ受信装置２２６、及びディスプレイ２２７を備える。ＣＰＵ２２０、入力装置２２１、ネットワークＩ／Ｆ２２２、メモリ２２４、補助記憶装置２２５、及びディスプレイ２２７については、サーバー装置１０を構成するハードウェアと同様であるため、説明を省略する。
【００７７】
カメラユニット２２３は、ＣＣＤ（Charge Coupled Device）やＣＭＯＳ（Complementary Metal Oxide Semiconductor）等のセンサを用いた撮像素子で撮像した映像をデジタルデータとして取得し、メモリ２２４又は補助記憶装置２２５に記録する撮影装置である。ＧＰＳ受信装置２２６は、測位衛星から送信された信号を受信する。ＧＰＳ受信装置２２６が受信した信号に基づいて、位置情報取得部２１２は取締端末装置２０の現在位置を特定する。
【００７８】
なお、取締端末装置２０の各構成要素の処理は、１つのハードウェアで実行されてもよいし、複数のハードウェアで実行されてもよい。さらに、取締端末装置２０の各構成要素の処理は、１つのプログラムで実現されてもよいし、複数のプログラムで実現されてもよい。
【００７９】
図１０は、ユーザー端末装置３０に対して通知が行われるまでの処理の流れを示すシーケンス図である。
【００８０】
まず、取締端末装置２０の制御部２１０が、入力装置２２１に対する入力に基づき、カメラユニット２２３を用いて、違反車両のナンバープレートを撮影する（ステップＳ１１）。
【００８１】
次に、位置情報取得部２１２は、ＧＰＳ受信装置２２６を用いて、取締端末装置２０の位置情報を取得する（ステップＳ１２）。
【００８２】
次に、車両情報送信部２１１は、ステップＳ１１で撮影した画像と、撮影した時刻を特定する情報と、ステップＳ１２で取得した取締端末装置２０の位置情報とをサーバー装置１０に対して送信する（ステップＳ１３）
【００８３】
次に、サーバー装置１０の車両情報取得部１１１は、撮影画像から車両ＮＯを特定する（ステップＳ１４）。具体的には、車両情報取得部１１１はステップＳ１３において取締端末装置２０から送信された画像を分析し、車両ＮＯを特定する。
【００８４】
次に、車両情報取得部１１１は、ステップＳ１３で取締端末装置２０から送信された画像の撮影時刻と、ステップＳ１４で特定した車両ＮＯとを用いて取締外車両情報１２２を参照し、車両が取締外車両であるか否かを判定する（ステップＳ１５）。具体的には、車両ＮＯが取締外車両情報１２２の車両ＮＯ１２２ｂに存在し、かつ撮影時刻が駐車開始日時１２２ｄから駐車終了日時１２２ｅにより特定される時間内に存在する取締外車両情報１２２がある場合に、車両情報取得部１１１は車両が取締外車両であると判定する。車両が取締外車両である場合、車両情報取得部１１１は処理を終了する。
【００８５】
次に、統計情報生成部１１２は、車両ＮＯを用いて車両種別を特定し、累計違反回数をインクリメントする（ステップＳ１６）。具体的には、統計情報生成部１１２は、ステップＳ１４で特定した車両ＮＯを用いて車両情報１２１を参照し、車両ＮＯ１２１ｂと関連付けられた車両種別１２１ｃを特定するとともに、累計違反回数１２１ｇをインクリメントする。
【００８６】
次に、車両情報取得部１１１は、違反車両情報１２３を生成する（ステップＳ１７）。具体的には、車両情報取得部１１１は、特定した車両ＮＯと、ステップＳ１６で特定した車両種別と、撮影時刻と、ステップＳ１２で取得した取締端末装置２０の位置情報とを、車両ＮＯ１２３ｂと、車両種別１２３ｃと、違反日時１２３ｄと、車両位置１２３ｅとして関連付けた違反車両情報１２３を生成する。また、車両情報取得部１１１は、生成した違反車両情報１２３に管理ＩＤ１２３ａを付番し、公開フラグ１２３ｆに「０」を関連付ける。
【００８７】
次に、統計情報生成部１１２は、車両種別、撮影時刻、位置情報を用いて統計情報１２４を生成する（ステップＳ１８）。具体的には、統計情報生成部１１２は、統計情報１２４中、取締端末装置２０の位置情報に含まれる区域１２４ａを特定し、特定した区域１２４ａと関連付けられた時間帯１２４ｃのうち、撮影時刻が含まれる時間帯１２４ｃを特定する。特定した時間帯１２４ｃと関連付けられた車両種別１２４ｄのうち、ステップＳ１７で特定された車両種別と関連する台数１２４ｅをインクリメントする。
【００８８】
また、統計情報生成部１１２は、違反車両情報１２３のうち、特定した車両ＮＯと対応する車両ＮＯ１２３ｂ、及び撮影時刻と対応する違反日時１２３ｄと関連付けられた公開フラグ１２３ｆを「１」に変更する。
【００８９】
次に、通信制御部１１４は、通知情報を生成し、ユーザー端末装置３０に対して送信する（ステップＳ１９）。本処理については後に詳述する。その後、サーバー装置１０、取締端末装置２０、ユーザー端末装置３０は処理を終了する。
【００９０】
図１１は、サーバー装置１０における通知処理の流れを示すフローチャートである。図１１に示す通知処理は、図１０のステップＳ１９の処理について説明するものである。
【００９１】
まず、通信制御部１１４は、ステップＳ１４で特定した車両ＮＯを用いて車両情報１２１を参照し、通知種別、連絡先、累計違反回数を特定する（ステップＳ１８１）。具体的には、通信制御部１１４は、特定した車両ＮＯと対応する車両情報１２１中の車両ＮＯ１２１ｂと関連付けられた通知種別１２１ｄと、第１連絡先１２１ｅと、第２連絡先１２１ｆと、累計違反回数１２１ｇとを特定する。なお、ここで特定される累計違反回数１２１ｇは、ステップＳ１６において当該車両が含められた累計違反回数である。
【００９２】
次に、通信制御部１１４は、通知種別に基づいて通知先を特定する（ステップＳ１８２）。前述したように、通知種別１２１ｄを参照することで、通知の送付先を特定することができる。通知先は、少なくとも第１連絡先１２１ｅを含むものであり、通知種別１２１ｄによっては第２連絡先１２１ｆをも含む。
【００９３】
次に、駐車場特定部１１５は、ステップＳ１３において取締端末装置２０から受信した位置情報を用いて駐車場情報１２５を参照し、駐車位置近傍の駐車場を特定する（ステップＳ１８３）。具体的には、受信した位置情報と駐車場情報１２５の位置１２５ｂとを比較し、近傍の位置１２５ｂと関連付けられた所定数の駐車場ＩＤ１２５ａを特定する。
【００９４】
次に、通信制御部１１４は、車両種別、位置情報、及び撮影時刻を用いて統計情報１２４を参照し、対応する統計情報１２４を抽出する（ステップＳ１８４）。具体的には、通信制御部１１４は、ステップＳ１３で受信した位置情報と統計情報１２４において対応する区域１２４ａと関連付けられた台数１２４ｅであって、ステップＳ１７で特定した車両種別と対応する車両種別１２４ｄと関連付けられ、さらに撮影時刻と対応する時間帯１２４ｃと関連付けられた台数１２４ｅを抽出する。
【００９５】
ここで抽出した台数１２４ｅを、違反車両に関連する関連統計情報として取り扱う。関連統計情報として抽出する情報はこれに限られない。例えば関連統計情報は、車両種別に関わらず、位置情報及び撮影時刻を用いて統計情報１２４から抽出された複数の台数１２４ｅであってもよい。
【００９６】
次に、通信制御部１１４は、累計違反回数、近傍の駐車場に関する情報、及び関連統計情報を含む通知情報を生成する（ステップＳ１８５）。通知情報には、ステップＳ１８１で特定した累計違反回数と、ステップＳ１８３で特定した駐車場に関する情報と、ステップＳ１８４で抽出した関連統計情報とが含まれる。駐車場に関する情報とは、例えば駐車場情報１２５に含まれる駐車場名１２５ｃや、特定した駐車場の位置を示す情報、特定した駐車場への経路を示す情報、又は特定した駐車場のホームページのアドレスを特定する情報等である。
【００９７】
次に、通信制御部１１４は、ステップＳ１８２で特定した通知先のユーザー端末装置３０に対して、生成した通知情報を送信する（ステップＳ１８６）。
【００９８】
本実施形態により、ユーザー端末装置３０では、累計違反回数や、近傍の駐車場に関する情報、及び関連統計情報を閲覧することが可能になる。違反車両の運転手が近傍の駐車場に関する情報を取得することで、違反車両を迅速に移動させることができる。また、車両の管理者に対し累計違反回数や関連統計情報を通知することで、次回に駐車する際の注意を促し、違法駐車の抑止に資することができる。
【００９９】
図１２は、統計情報１２４の公開の流れを示すシーケンス図である。サーバー装置１０は、ユーザー端末装置３０からの要求に応じて、所定の統計情報を示す統計情報表示画面をユーザー端末装置３０に対して提供する。
【０１００】
まず、ユーザー端末装置３０の制御部３１０が、サーバー装置１０に対して統計情報選択画面を要求する（ステップＳ２１）。統計情報選択画面は、ユーザー端末装置３０がサーバー装置１０に対して要求する統計情報表示画面の選択を受け付ける画面である。
【０１０１】
次に、サーバー装置１０の通信制御部１１４は、ユーザー端末装置３０に対して統計情報選択画面を表示するための表示情報を送信する（ステップＳ２２）。
【０１０２】
図１３は、統計情報選択画面３２０の一例を示す図である。統計情報選択画面３２０は、表示項目設定領域３２１と、統計情報選択領域３２２とを含む。
【０１０３】
表示項目設定領域３２１は、要求する統計情報表示画面の表示項目の設定を受け付ける領域である。表示項目設定領域３２１は、例えば要求する統計情報１２４の地域の設定や、車の種別等の設定を受け付ける。
【０１０４】
統計情報選択領域３２２は、要求する統計情報表示画面の種類の選択を受け付ける領域である。統計情報選択領域３２２は、例えば、時間ごとの違反台数を地図上に表示する統計地図表示画面や、一か月の累計を表示する区域別累計表示画面や、一日のうちの違反台数の推移を表示する台数推移表示画面等の種類の選択を受け付ける。
【０１０５】
説明を図１２に戻す。次に、ユーザー端末装置３０の表示制御部３１１は、ステップＳ２２で受信した表示情報を用いてディスプレイ２２７に統計情報選択画面３２０を表示させる（ステップＳ２３）。
【０１０６】
次に、表示制御部３１１は、統計情報選択画面３２０に対する表示項目の設定と、統計情報表示画面の選択とを受け付ける（ステップＳ２４）。
【０１０７】
次に、表示制御部３１１は、ステップＳ２４で選択を受け付けた表示項目と、選択された統計情報表示画面を特定する情報をサーバー装置１０に対して送信する（ステップＳ２５）。
【０１０８】
次に、サーバー装置１０の統計情報生成部１１２は、統計情報１２４を参照し、統計情報表示画面を表示するための表示情報を生成する（ステップＳ２６）。
【０１０９】
以下に、統計情報表示画面の一種である統計地図表示画面３３０と、区域別累計表示画面３４０と、台数推移表示画面３５０との一例を示す。
【０１１０】
図１４は、統計地図表示画面３３０の一例を示す図である。統計地図表示画面３３０は、所定の地域内の所定の時間帯における違反車両の台数を地図上に表示したものである。統計地図表示画面３３０には、区域ごとに違反車両の台数に応じて表示を異ならせた地図情報が表示される。
【０１１１】
統計地図表示画面３３０には、表示する統計情報の日時と、時間帯とが選択可能に表示される。統計情報生成部１１２は、統計情報選択画面３２０の表示項目設定領域３２１に対して入力された地域と、車の種別と、統計地図表示画面３３０において選択された日時と、時間帯とを用いて統計情報１２４を参照し、各区域毎の違反車両の台数を抽出する。統計情報生成部１１２は、記憶部１２０に予め格納された地図を示す情報を用いて、各区域毎に違反台数に応じて表示を異ならせた地図情報を表示する。
【０１１２】
本画面により、所定の地域における所定の種類の車両について、区域による違反台数の多寡をユーザーが一覧で認識することができる。
【０１１３】
図１５は、区域別累計表示画面３４０の一例を示す図である。区域別累計表示画面３４０は、所定の地域内の各区域における所定の時間帯の違反車両の台数の累計を示した画面である。
【０１１４】
区域別累計表示画面３４０には、表示する統計情報の日時が選択可能に表示される。統計情報生成部１１２は、統計情報選択画面３２０の表示項目設定領域３２１に対して入力された地域と、車の種別と、区域別累計表示画面３４０において選択された日時とを用いて、統計情報１２４を参照し、対応する台数１２４ｅを抽出する。統計情報生成部１１２は、各区域毎に抽出した台数を、区域別累計表示画面３４０に表示するよう表示情報を生成する。
【０１１５】
本画面により、ユーザーは各区域毎の違反車両の台数を認識することができる。
【０１１６】
図１６は、台数推移表示画面３５０の一例を示す図である。台数推移表示画面３５０は、所定の区域における所定の種別の違反車両の、一日の駐車台数の時間的な推移を表示する画面である。台数推移表示画面３５０には、横軸に一日の内の時間が表示され、縦軸に違反車両の台数が表示される。
【０１１７】
台数推移表示画面３５０には、表示する統計情報の日時と、表示区域とが選択可能に表示される。統計情報生成部１１２は、統計情報選択画面３２０の表示項目設定領域３２１に対して入力された地域と、車の種別と、台数推移表示画面３５０において選択された日時と、表示区域とを用いて統計情報１２４を参照し、台数１２４ｅを時間帯毎に合計する。統計情報生成部１１２は、合計した台数を表示した台数推移表示画面３５０を表示するための表示情報を生成する。
【０１１８】
本画面により、ユーザーは一日のうちの違反車両の台数の推移について、一覧で把握することができる。
【０１１９】
説明を図１２に戻す。次に、サーバー装置１０の通信制御部１１４は、ステップＳ２６で生成した表示情報を、ユーザー端末装置３０に対して送信する（ステップＳ２６）。
【０１２０】
次に、ユーザー端末装置３０の表示制御部３１１は、ステップＳ２６で送信された表示情報を用いて、統計情報表示画面を表示装置に対して表示させる（ステップＳ２７）。その後、サーバー装置１０及びユーザー端末装置３０は、本シーケンスの処理を終了する。
【０１２１】
本実施形態により、ユーザー端末装置３０には、違反車両の台数と区域とが関連付けられて表示される。これにより、ユーザーに対して駐車違反に対する注意を促し、違法駐車を抑止することができる。また、駐車違反を行ったユーザーに対しては、統計情報１２４と併せて近隣の駐車場に関する情報等が送信されるため、違法駐車に対する啓蒙が可能であるだけでなく、車両の移動先を効率的に知ることができ、利便性が向上する。
【０１２２】
以上、本発明に係る実施形態の説明を行ってきたが、本発明は、上記した実施形態の一例に限定されるものではなく、様々な変形例が含まれる。例えば、上記した実施形態の一例は、本発明を分かり易くするために詳細に説明したものであり、本発明は、ここで説明した全ての構成を備えるものに限定されない。また、ある実施形態の一例の構成の一部を他の一例の構成に置き換えることが可能である。また、ある実施形態の一例の構成に他の一例の構成を加えることも可能である。また、各実施形態の一例の構成の一部について、他の構成の追加・削除・置換をすることもできる。また、上記の各構成、機能、処理部、処理手段等は、それらの一部又は全部を、例えば集積回路で設計する等によりハードウェアで実現してもよい。また、図中の制御線や情報線は、説明上必要と考えられるものを示しており、全てを示しているとは限らない。ほとんど全ての構成が相互に接続されていると考えてもよい。
【０１２３】
また、上記のサーバー装置１０、取締端末装置２０、ユーザー端末装置３０の機能構成は、理解を容易にするために、主な処理内容に応じて分類したものである。構成要素の分類の仕方や名称によって、本願発明が制限されることはない。サーバー装置１０、取締端末装置２０、ユーザー端末装置３０の構成は、処理内容に応じて、さらに多くの構成要素に分類することもできる。また、１つの構成要素がさらに多くの処理を実行するように分類することもできる。
【符号の説明】
【０１２４】
１：駐車違反情報公開システム、１０：サーバー装置、２０：取締端末装置、３０：ユーザー端末装置、４０：ネットワーク、１１０：制御部、１１１：車両情報取得部、１１２：統計情報生成部、１１３：表示情報生成部、１１４：通信制御部、１１５：駐車場特定部、１２０：記憶部、１２１：車両情報、１２２：取締外車両情報、１２３：違反車両情報、１２４：統計情報、１２５：駐車場情報、１３０：ＣＰＵ、１３１：入力装置、１３２：ネットワークＩ／Ｆ、１３３：メモリ、１３４：補助記憶装置、１３５：ディスプレイ、２１０：制御部、２１１：車両情報送信部、２１２：位置情報取得部、２２０：ＣＰＵ、２２１：入力装置、２２２：ネットワークＩ／Ｆ、２２３：カメラユニット、２２４：メモリ、２２５：補助記憶装置、２２６：ＧＰＳ受信装置、２２７：ディスプレイ、３１０：制御部、３１１：表示制御部、３２０：統計情報選択画面、３２１：表示項目設定領域、３２２：統計情報選択領域、３３０：統計地図表示画面、３４０：区域別累計表示画面、３５０：台数推移表示画面
【図１】
2015106399.tif 000003
【図２】
2015106399.tif 000004
【図３】
2015106399.tif 000005
【図４】
2015106399.tif 000006
【図５】
2015106399.tif 000007
【図６】
2015106399.tif 000008
【図７】
2015106399.tif 000009
【図８】
2015106399.tif 000010
【図９】
2015106399.tif 000011
【図１０】
2015106399.tif 000012
【図１１】
2015106399.tif 000013
【図１２】
2015106399.tif 000014
【図１３】
2015106399.tif 000015
【図１４】
2015106399.tif 000016
【図１５】
2015106399.tif 000017
【図１６】
2015106399.tif 000018